(57)【要約】【課題】柱体に関する高さ調整組立体の位置を所望に応じて調整し得る、柱体用高さ調整組立体を提供する。【解決手段】  柱体用高さ調整組立体は、外方装置、内方装置及び複数の位置調整要素を備える。外方装置は、柱体の外面の回りに取り付けられるように適合され、ベース及び取付けケーシングを有する。取付けケーシングは、ベースの回りに取り付けられ、室、開口部及び円錐面を有する。内方装置は、外方装置に移動可能に結合されており、移動取付け具及び少なくとも１つのばねを有する。移動取付け具は、外方装置内に設置されており、取付け室、押圧部及び複数の位置決め穴を有する。ばねは、位置決め穴を円錐面に対向させるために、ベースと移動取付け具との間に設置されている。位置決め要素は、移動取付け具の位置決め穴にそれぞれ設置されており、柱体上に高さ調整組立体を保持すべく、円錐面及び柱体に接する。【選択図】図１
2011220521.tif 000002
【特許請求の範囲】
【請求項１】
柱体用高さ調整組立体であって、
前記柱体の外面に該面を取り巻いて取付けられるように適合される外方装置と、該外方装置に移動可能に接続される内方装置と、複数の位置決め要素とを含み、
前記外方装置は、
ベースであって前記柱体の前記外面の回りに取付けられるように前記ベースを貫通して形成された中央穴と、上面と、側壁とを有するベースと、
前記ベースに該ベースの回りに固定的に取り付けられた取付けケーシングであって下端と、上端と、外面と、前記柱体の前記外面及び前記ベースの前記側壁を取り巻いて設置されるように前記取付けケーシング内に形成された室と、前記柱体を前記取付けケーシングの前記上端から伸長させるべく前記室を貫通して形成され前記室に連通する開口部と、該開口部に接して前記取付けケーシングに形成された環状の円錐面とを有する取付けケーシングとを備え、
前記内方装置は、
中空で前記ベースと前記取付けケーシングとの間で前記外方装置内に移動可能の設けられる移動取付け具であって下端部と、上端部と、外面と、前記柱体の前記外面の回りに取り付けるべく前記移動取付け具を貫通して形成された取付け室と、前記移動取付け具の前記外面を貫通して間隔をおいて放射状に形成され前記取付け室に連通し前記取付けケーシングの前記円錐面に向き合う複数の位置決め穴と備える取付け具と、
前記取付けケーシングの前記開口部から伸長する前記移動取付け具の押圧部を押すためにまた前記位置決め穴を前記取付けケーシングの前記円錐面に向き合わせるべく、前記ベースと前記移動取付け具との間で前記室に設けられた少なくとも１つのばねとを備え、
前記複数の位置決め要素は、前記移動取付け具の前記位置決め穴にそれぞれ設けられ、前記高さ調整組立体を前記柱体に保持するために該柱体の前記外面に当接しまた前記取付けケーシングの前記円錐面に当接する、柱体用高さ調整組立体。
【請求項２】
前記高さ調整組立体は、前記外方装置に接続される張り出し装置を有する、請求項１に記載の高さ調整組立体。
【請求項３】
前記張り出し装置は、張り出し板であり、移動取付け具の反対側で前記ベースに接続されている、請求項２に記載の高さ調整組立体。
【請求項４】
前記張り出し装置は、接続管であり、前記取付けケーシングの前記外面に該外面から突出して形成されている、請求項２に記載の高さ調整組立体。
【請求項５】
前記ベースは、該ベースの前記中央穴の回りに間隔をおいて前記ベースの前記上面に形成された複数の保持凹所を有し、前記移動取付け具は、前記ベースの前記中央穴の回りに間隔をおいて前記ベースの前記保持凹所に対応して前記移動取付け具の下端部に形成された複数の保持凹所を有し、前記内方装置は、前記ベースの前記保持凹所と前記移動取付け具の前記保持凹所との間に設けられた複数のばねを有する、請求項２に記載の高さ調整組立体。
【請求項６】
前記取付けケーシングは、該取付けケーシングの下端近傍に間隔をおいて前記取付けケーシングの前記外面を貫通して設けられ、前記取付けケーシングに前記ベースを固定的に保持すべく該ベースの前記側壁に固定的に接続される複数の留め具を備える、請求項５に記載の高さ調整組立体。
【請求項７】
各位置決め要素は鋼球である、請求項６に記載の高さ調整組立体。
【請求項８】
各位置決め要素は円柱体である、請求項６に記載の高さ調整組立体。
【請求項９】
前記ベースは該ベースの前記側壁に形成されたねじ溝面を有し、前記取付けケーシングは、該取付けケーシングに前記ベースを固定的に保持すべく、該取付けケーシングの下端に形成され該下端から突出し、前記ベースの前記ねじ溝面に螺合するねじ付きリング部を有する、請求項２に記載の高さ調整組立体。
【請求項１０】
前記移動取付け具は、該移動取付け具の前記下端部に該下端部から下方に突出して形成され前記ベースの前記上面に向き合う保持リングを有し、前記内方装置は、前記保持リングの回りで前記ベースの前記上面と前記移動取付け具の前記下端部との間に設けられた少なくとも１つのばねを有する、請求項９に記載の高さ調整組立体。
【請求項１１】
前記取付けケーシングは、前記柱体の前記外面の回りに設けられるように前記取付けケーシングの前記上端の回りに固定的に取り付けられた上部カバーを有し、前記移動取付け具の前記押圧部は前記取付けケーシングの前記上部カバーから突出する、請求項１０に記載の高さ調整組立体。
【請求項１２】
前記移動取付け具は前記取付けケーシングの前記上部カバー上で前記移動取付け具の前記押圧部にねじ止めされ前記柱体の前記外面の回りに設けられた押し板を有する、請求項１１に記載の高さ調整組立体。
【請求項１３】
前記高さ調整組立体は、前記位置決め要素が前記取付けケーシングの前記円錐面及び前記柱体の前記外面間で係合することを防止すべく、前記上部カバーと、前記移動取付け具及び前記取付けケーシングとの間に設けられた制限装置を備える、請求項１２に記載の高さ調整組立体。
【請求項１４】
前記上部カバーは、外面と、内面と、前記上部カバーの前記外面に放射状に形成された取付け凹所と、前記上部カバーを貫通して前記取付け凹所に連通する取付け溝とを有し、
前記移動取付け具は該移動取付け具の上端部近傍で前記移動取付け具の前記外面に環状に形成された制限凹所を有し、
前記制限装置は、前記上部カバーに移動可能に設けられており、
前記上部カバーの前記取付け溝に移動可能に設けられ両端を有する制限ロッドであって一方の端部が前記取付け凹所を経て前記上部カバーの前記取付け溝から伸長し、他方の端部が前記上部カバー内に伸びて前記移動取付け具の前記外面に当接しまた環状フランジを有する制限ロッドと、
前記制限ロッドのまわりに設けられ、前記環状フランジと前記上部カバーの前記内面に接する復帰要素と、
前記制限ロッドの前記両端の一方の回りに設けられ、前記上部カバーの前記取付け凹所内に移動可能に設けられ、前記取付け凹所の底に関して間隙を有する保持頭とを備える、請求項１３に記載の高さ調整組立体。
【請求項１５】
前記制限装置は、前記上部カバー及び前記移動取付け具間に設けられ、
Ｌ字形状であり、前記上部カバーの前記内面に形成され、水平部を有する制限溝と、
前記移動取付け具の前記外面に該外面から突出して形成され前記制限溝内を移動可能に設けられる制限突起部とを備える、請求項１３に記載の高さ調整組立体。
【請求項１６】
前記制限装置は、前記取付けケーシングと前記移動取付け具との間に設けられ、
前記上部カバーの下方の前記取付けケーシングの前記上端に固定的に設けられた制限取付け具と、
前記移動取付け具の前記外面に形成され、前記制限取付け具に向き合い、底面を有する案内凹所と、
Ｖ字形であり、前記案内凹所の前記底面に該底面から突出して形成され、前記制限取付け具に向き合う保持アームと、
Ｚ字形であり、前記制限取付け具に回転可能に接続され前記案内凹所に移動可能に設けられる制限ピンであって前記制限取付け具に回転可能に接続される接続端と前記制限取付け具の前記案内凹所内に移動可能に設けられる制限端とを有する制限ピンとを備える、請求項１３に記載の高さ調整組立体。
【請求項１７】
各位置決め要素は鋼球である、請求項１３に記載の高さ調整組立体。
【請求項１８】
各位置決め要素は円柱体である、請求項１３に記載の高さ調整組立体。
【発明の詳細な説明】
【技術分野】
【０００１】
本発明は高さ調整（lifting-adjusting）組立体に関し、より詳細には、高さ調整組立体を柱体の所望位置に調整し得る、柱体用高さ調整組立体に関する。
【背景技術】
【０００２】
従来の陳列用フレームは複数の縦柱体、複数の接合具及び複数の羽目板を有する。各縦柱体は、外面と、該縦柱体に間隔をおいて前記外面に形成された複数の結合穴とを有する。前記接合具は、前記縦柱体の前記結合穴にそれぞれ取付けられる。各羽目板は、前記縦柱体間で前記接合具に取付けられる。前記接合具は、前記羽目板の前記縦柱体に関する高さを調節するために、前記縦柱体の異なる結合穴に取り付けることができる。
【０００３】
しかしながら、前記結合穴間の間隔は等距離であり、使用者は、前記縦柱体の前記結合穴の間の所望位置に前記羽目板を調整することができず、したがって、これは使用に不便であり、従来の陳列用フレームの実用性に制限を課す。さらに、縦柱体の表面に形成された前記結合穴は、従来の陳列用フレームの外観に悪影響を及ぼす。
【発明の概要】
【発明が解決しようとする課題】
【０００４】
発明の主たる目的は、高さ調整組立体の柱体に関する位置を必要に応じて調整し得る、柱体用高さ調整組立体を提供することにある。
【課題を解決するための手段】
【０００５】
本発明に係る柱体用高さ調整組立体は、外方装置、内方装置及び複数の位置決め要素を備える。前記外方装置は、柱体の外面の回りに取り付けられるように適合され、ベース及び取付けケーシングを有する。前記取付けケーシングは、前記ベースの回りに固定的に取り付けられ、室、開口部及び円錐面を有する。前記開口部は、前記取付けケーシングの上端を貫通して形成されており、前記室に連通する。前記円錐面は、前記開口部に接して前記取付けケーシングに環状に形成されている。前記内方装置は、前記外方装置に移動可能に結合されており、移動取付け具及び少なくとも１つのばねを有する。前記移動取付け具は、前記外方装置内で移動可能に設置されており、取付け室、押圧セグメント及び複数の位置決め穴を有する。前記ばねは、前記位置決め穴を前記円錐面に向き合わせるべく、前記ベースと前記移動取付け具との間で前記室に設置されている。前記位置決め要素は、移動取付け具の前記位置決め穴にそれぞれ設置されており、前記柱体上に前記高さ調整組立体を保持すべく、前記取付けケーシングの前記円錐面と、前記柱体の外面に接する。
【０００６】
本発明の他の目的、利点及び斬新な特徴は、添付図面に関連した以下の詳細な説明により、さらに明白になるであろう。
【図面の簡単な説明】
【０００７】
【図１】本発明に係る高さ調整組立体の第１の実施例を分解して示す側面図である。
【図２】柱体の回りに取り付けられた図１の高さ調整組立体の一部を破断して示す側面図である。
【図３】柱体の回りに取り付けられた図１の高さ調整組立体の一部を破断して示す他の側面図である。
【図４】図１の高さ調整組立体の一部を破断して操作を示す側面図である。
【図５】柱体の回りに取り付けられた図１の高さ調整組立体の一部を破断して示す他の側面図である。
【図６】棒高跳びのための目盛り付き柱体の回りに取り付けられた図１の高さ調整組立体の一部を破断して使用を示す側面図である。
【図７】天井板と掲示板との間に設置された図１の高さ調整組立体の一部を破断して使用を示す側面図である。
【図８】陳列用フレームを構成する図１中の高さ調整組立体の使用を示す側面図である。
【図９】物干し掛けを形成する図１の高さ調整組立体の使用を示す側面図である。
【図１０】本発明に係る高さ調整組立体の第２の実施例の一部を破断し、分解して示す側面図である。
【図１１】柱体の回りに取り付けられた図１０の高さ調整組立体の一部を破断し拡大して示す側面図である。
【図１２】図１０の高さ調整組立体の一部を破断して操作を示す側面図である。
【図１３】図１０の高さ調整組立体の制限装置の第１の実施例の一部を破断して示す側面図である。
【図１４】図１３の前記制限装置の一部を破断して操作を示す側面図である。
【図１５】図１０の高さ調整組立体の制限装置の第２の実施例を部分的に破断して示す側面図である。
【図１６】図１５の前記制限装置の操作を示す側面図である。
【図１７】図１０の前記高さ調整組立体の制限装置の第３の実施例を部分的に破断して示す側面図である。
【図１８】図１０の高さ調整組立体の制限装置の前記第３の実施例を部分的に破断して示す他の側面図である。
【図１９】図１７の前記制限装置の一部を破断して操作を示す側面図である。
【図２０】図１８の前記制限装置の一部を破断して操作を示す他の側面図である。
【図２１】（Ａ）〜（Ｆ）は、図１７の前記制限装置の操作を拡大して連続的に示す側面図である。
【発明を実施するための形態】
【０００８】
図１、２、１０及び１１を参照するに、本発明に係る、柱体用高さ調整組立体は、外方装置１０、１０′、内方装置２０、２０′、複数の位置決め要素３０、３０′及び張り出し装置４０、４０′を含む。
【０００９】
外方装置１０、１０′は、柱体５０の外面の回りに取り付けて使うことができ、ベース１１、１１′及び取付けケーシング１２、１２′を有する。ベース１１、１１′は、中央穴１１１、１１１′、上面及び側壁を有する。中央穴１１１、１１１′はベース１１、１１′を貫通して形成されており、柱体５０の前記外面の回りに設置される。図１に関し、ベース１１は、さらにベース１１の中央穴１１１の回りに間隔をおいてベース１１の前記上面に形成された複数の保持凹所１１２を有することができる。図１０に関し、ベース１１′は、さらにベース１１′の前記側壁に形成されたねじ溝面１１２′を有することができる。
【００１０】
取付けケーシング１２、１２′は、ベース１１、１１′の回りに固定的に取り付けられ、下端、上端、外面、室１３、１３′、開口部１４、１４′及び円錐面１５、１５′を有する。図２に関し、取付けケーシング１２は、さらに取付けケーシング１２の前記下端の近傍に間隔をおいて、取付けケーシング１２の前記外面を貫通して取り付けられた複数の留め具１６を有することができ、ベース１１を取付けケーシング１２に固定的に保持すべくベース１１の前記側壁に固定的に結合される。図１１に関し、取付けケーシング１２′は、さらに取付けケーシング１２′の前記下端に形成され該下端から突出するねじ付きリング部１２１′を有することができ、ベース１１′を取付けケーシング１２′に固定的に保持すべくねじ付きリング部１２１′をベース１１′のねじ溝面１１２′に螺合することができる。
【００１１】
室１３、１３′は、取付けケーシング１２、１２′に形成されており、柱体５０の前記外面及びベース１１、１１′の前記側壁の回りに設置されている。開口部１４、１４′は、取付けケーシング１２、１２′の前記上端を貫通して形成されており、柱体５０を取付けケーシング１２、１２′の前記上端から伸長させるべく室１３、１３′に連通する。円錐面１５、１５′は、取付けケーシング１２、１２′に開口部１４、１４′に接して環状に形成されている。図１１に関し、取付けケーシング１２′は、さらに上部カバー１７′を有することができ、該上部カバーは取付けケーシング１２′の前記上端の回りに固定的に取り付けられまた柱体５０の前記外面の回りに設置される。さらに、図１３に関し、上部カバー１７′は、外面、内面、取付け凹所１７１′及び取付け溝１７２′を有する。取付け凹所１７１′は上部カバー１７′の前記外面に放射状に形成されている。取付け溝１７２′は上部カバー１７′を貫通して形成され、取付け凹所１７１′に連通する。
【００１２】
内方装置２０、２０′は、外方装置１０、１０′に移動可能に結合されており、
移動取付け具２１、２１′及び少なくとも１つのばね２２、２２′を有する。移動取付け具２１、２１′は、中空であり、外方装置１０、１０′内にベース１１、１１′及び取付けケーシング１２、１２′間で移動可能に設置されており、下端部、上端部、外面、取付け室２５、２５′、押圧部２３、２３′及び複数の位置決め穴２４、２４′を有する。取付け室２５、２５′は、移動取付け具２１、２１′を貫通して形成されており、柱体５０の前記外面の回りに設置される。押圧部２３、２３′は、移動取付け具２１、２１′の上端部に形成されており、開口部１４、１４′を通って取付けケーシング１２、１２′の前記上端から伸長する。図１１に関し、移動取付け具２１′の押圧部２３′は、さらに取付けケーシング１２′の上部カバー１７′から伸長する。図１３に関し、移動取付け具２１′は、さらに移動取付け具２１′の外面で環状に形成された制限凹所２８′を移動取付け具２１′の前記上端部の近傍に有する。
【００１３】
位置決め穴２４、２４′は、間隔をおいて移動取付け具２１、２１′の外面を貫通して放射状に形成され、取付け室２５、２５′に連通し、取付けケーシング１２、１２′の円錐面１５、１５′に面している。図１に関して、移動取付け具２１は、さらに、間隔をおいて移動取付け具２１の前記下端部に形成され、ベース１１の保持凹所１１２に対応する複数の保持凹所２６を有する。図１０に関し、移動取付け具２１′は、さらに移動取付け具２１′の前記下端部に該下端部から下方に突出して形成され、ベース１１′の前記上面に向き合う保持リング２６′を有する。図１０に関し、移動取付け具２１′は、さらに取付けケーシング１２′の上部カバー１７′上の移動取付け具２１′の押圧部２３′によってねじ止めされ、柱体５０の前記外面の回りに設置された押し板２７′を有する。
【００１４】
少なくとも１つのばね２２、２２′は、移動取付け具２１、２１′の押圧部２３、２３′を取付けケーシング１２、１２′の開口部１４、１４′から突出して押圧すべくまた位置決め穴２４、２４′を取付けケーシング１２、１２′の円錐面１５、１５′に向けることを可能にすべく、室１３、１３′内にベース１１、１１′と移動取付け具２１、２１′との間で設置されている。図２に関し、内方装置２０は、ベース１１の保持凹所１１２と移動取付け具２１の保持凹所２６との間に設置された複数のばね２２を有する。図１１に関し、内方装置２０′は、ベース１１′の前記上面と移動取付け具２１′の前記下端部との間に、保持リング２６′を取り巻いて設置された単一のばね２２′を有する。
【００１５】
位置決め要素３０、３０′は移動取付け具２１、２１′の位置決め穴２４、２４′にそれぞれ設置されており、図２及び１１に示されているように、柱体５０上に前記高さ調整組立体を保持すべく取付けケーシング１２、１２′の円錐面１５、１５′及び柱体５０の前記外面に当接する。好ましくは、各位置決め要素３０、３０′は図１に示されるような鋼球又は図３に示されているような円柱体とすることができる。
【００１６】
張り出し装置４０、４０′は、外方装置１０、１０′に接続されており、対象物を前記高さ調整組立体に掛けるべく、図１及び１０に示されるように移動取付け具２１、２１′の反対側でベース１１、１１′に接続された張り出し板とすることができ、あるいは横柱体９０と接続するために、図９に示されるように取付けケーシング１２、１２′に設けられその前記外面から突出する接続管とすることができる。
【００１７】
図１３、１５及び１７を参照するに、本発明に係る高さ調整組立体は、さらに、位置決め要素３０′が取付けケーシング１２′の円錐面１５′と柱体５０の前記外面との間で係合することを防止すべく、上部カバー１７′と、移動取付け具２１′及び取付けケーシング１２′との間に設置された制限装置６０Ａ、６０Ｂ、６０Ｃを備えることができる。
【００１８】
図１３に関し、第１実施例の制限装置６０Ａは、上部カバー１７′に移動可能に設置されており、制限ロッド６１Ａ、復帰要素６２Ａ及び保持頭６３Ａを有する。制限ロッド６１Ａは、上部カバー１７′の取付け溝１７２′内に移動可能に設置されており、両端を有する。制限ロッド６１Ａの一端は取付け凹所１７１′を経て上部カバー１７′から伸長し、制限ロッド６１Ａの他端は、移動取付け具２１′上部カバー１７′内に伸び、移動取付け具２１′の前記外面に当接し、また環状フランジを有する。復帰要素６２Ａは、スプリングとすることができ、制限ロッド６１Ａの回りに設置され、前記環状フランジと、上部カバー１７′の内面とに当接する。保持頭６３Ａは、上部カバー１７′から伸長する制限ロッド６１Ａの前記一端の回りに設置され、上部カバー１７′の取付け凹所１７１′に移動可能に設置されておりまた取付け凹所１７１′の底に対し間隙が設定されている。
【００１９】
図１５を参照するに、第２実施例の制限装置６０Ｂは、上部カバー１７′と移動取付け具２１′との間に設置されており、制限溝６１Ｂ及び制限突起部６２Ｂを有する。制限溝６１ＢはＬ字形を有し、上部カバー１７′の前記内面に形成されており、水平部分を有する。制限突起部６２Ｂは移動取付け具２１′にその外面から突出して形成されており、制限溝６１Ｂ内を移動可能に設けられている。
【００２０】
図１７を参照するに、第３実施例の制限装置６０Ｃは、取付けケーシング１２′と移動取付け具２１′との間に設けられ、制限取付け具６１Ｃ、案内凹所６３Ｃ、保持アーム６４Ｃ及び制限ピン６２Ｃを有する。制限取付け具６１Ｃは、上部カバー１７′より下方の取付けケーシング１２′の前記上端に固定的に取付けられている。案内凹所６３Ｃは、移動取付け具２１′の前記外面に形成され、制限取付け具６１Ｃに向き合い、また底面を有する。保持アーム６４Ｃは、Ｖ字形であり、案内凹所６３Ｃの前記底面に該底面から突出して形成されており、制限取付け具６１Ｃに向き合う。制限ピン６２Ｃは、Ｚ字形であり、回転可能に制限取付け具６１Ｃに接続されており、案内凹所６３Ｃ内に移動可能に設置されており、接続端部６２１Ｃ及び制限端部６２２Ｃを有する。制限ピン６２Ｃの接続端部６２１Ｃは回転可能に制限取付け具６１Ｃに接続されている。制限ピン６２Ｃの制限端部６２２Ｃは、制限取付け具６１Ｃの案内凹所６３Ｃに移動可能に設置されており、保持アーム６４Ｃに当接可能である。
【００２１】
使用に際し、図２、５及び１１を参照するに、本発明に係る前記高さ調整組立体は、陳列用フレームの柱体５０の外面のまわりに設置して使用することができ、相反する力によって位置決め要素３０、３０′が取付けケーシング１２、１２′の円錐面１５、１５′と柱体５０の前記外面との間の確実な係合を可能とするように、前記高さ調整組立体の重量は外方装置１０、１０′に降下力をもたらし、少なくとも１つのばね２２、２２′は移動取付け具２１、２１′に押し上げ力を与えることができる。その結果、位置決め要素３０、３０′と、円錐面１５、１５′及び柱体５０の前記外面との間の係合により、前記高さ調整組立体は、前記陳列用フレームの柱体５０にそのまわりで固定的に設置される。図２及び５に関し、張り出し装置４０に吊り下げられた自転車のような対象物では、対象物の重量は、格別な下方への移動力を外方装置１０に与え、位置決め要素３０と、円錐面１５及び柱体５０の前記外面との間の係合力を増大させる。また、柱体５０の断面は、丸、矩形又は長円形とすることができる。
【００２２】
図４及び１２を参照するに、使用者が柱体５０に関する前記高さ調整組立体の位置の調整を望む場合、移動取付け具２１、２１′を取付けケーシング１２、１２′に関して下方へ移動させまたばね２２、２２′を押し付けるべく、移動取付け具２１の押圧部２３又は押し板２７が押し下げられる。そのとき、位置決め要素３０、３０′は、取付けケーシング１２、１２′の円錐面１５、１５′から分離され、これは、位置決め要素３０、３０′と、円錐面１５、１５′及び柱体５０の前記外面との間の係合力を減少させるので、前記高さ調整組立体の位置調整のために、該高さ調整組立体を柱体５０に関して上方あるいは下方に移動することが可能になる。
【００２３】
図６に関し、本発明に係る前記高さ調整組立体は、棒高跳びの目盛り付きの柱体５０にこれを取り巻いて設置されており、使用者は、目盛りに従って柱体５０に関する前記高さ調整組立体の位置を調整することができる。
【００２４】
図７を参照するに、外方装置１０のベース１１は、天井板６０に設置することができ、前記高さ調整組立体は、看板６１の柱体５０にこれを取り巻いて設置することができる。看板６１及び移動取付け具２１の重量は、位置決め要素３０を取付けケーシング１２の円錐面１５及び柱体５０の前記外面間で確実に係合させるべく下降力を与えることができる。さらに、使用者は、位置決め要素３０を取付けケーシング１２の円錐面１５から分離させるために移動取付け具２１の押圧部２３を押し上げることができ、看板６１の位置調整のために前記高さ調整組立体を柱体５０に関して上方又は下方に移動することができる。
【００２５】
図８を参照するに、本発明に係る複数の高さ調整組立体は、陳列用フレームの複数の隣接する個々の柱体５０にこれを取り巻いてそれぞれ設置することができ、羽目板８０は、前記高さ調整組立体の張り出し装置４０である張り出し板間に設置することができる。さらに、柱体５０の間の隣接する羽目板８０は、陳列用フレームの柱体５０に関して前記高さ調整組立体を移動させることにより、必要に応じて調整することができる。
【００２６】
図９を参照するに、本発明に係る一対の前記高さ調整組立体が、２つの隣接する個別の柱体５０を取り巻いて該柱体に設置されており、横柱体９０は、Ｕ字形の洗たく物掛けを形成すべく、張り出し装置４０である両接続管の間に設置することができる。横柱体９０の高さは、前記高さ調整組立体を柱体５０に関して移動することにより、調節することができる。
【００２７】
したがって、本発明に係る高さ調整組立体は、取付けケーシング１２、１２′に関して移動取付け具２１、２１′を移動させるべく、移動取付け具２１の押圧部２３又は押し板２７′を押し下げることにより、柱体５０に関して上方又は下方に移動することができる。その結果、前記高さ調整組立体は、必要に応じて柱体５０に関する位置を調整することができ、これで便利に使用することができる。さらに、本発明に係る前記高さ調整組立体を柱体５０に該柱体を取り巻いて設置するように使用すると、複数の接続穴を柱体５０の外面に形成する必要はなく、これは柱体５０に好適な外観を与えることが可能となる。
【００２８】
さらに、本発明に係る一対の高さ調整組立体が、洗たく物掛けの２つの柱体５０にその回りで設置され、又は柱体５０間で長い間隔を有する展示用フレームの２本の柱体５０のまわりに設置される場合に、より大きな間隔の一対の高さ調整組立体は1つずつ調整することができる。図１３、１５及び１７に関し、前記高さ調整組立体の制限装置６０Ａ、６０Ｂ、６０Ｃの実施例は、柱体５０間に長い距離を有する洗たく物掛け又は陳列用フレームに用いることができる。
【００２９】
制限装置６０Ａの第１実施例では、図１３及び１４を参照するに、使用者が柱体５０間の前記横柱体の位置の調整を望むとき、使用者は、移動取付け具２１′の制限凹所２８′を上部カバー１７′内に移動させ、制限装置６０Ａに向けるように、押し板２７′を押し下げることができる。制限凹所２８′が上部カバー１７′内に移動すると、制限ロッド６１Ａと上部カバー１７′の前記内面との間の復帰要素６２Ａは、制限ロッド６１Ａを制限凹所２８′内に押し込み、移動取付け具２１′が少なくとも１つのばね２２′によって元位置に復帰することを防止する。その結果、移動取付け具２１′は、制限装置６０Ａによって元位置に戻ることを妨げられ、位置決め要素３０′は、柱体５０の前記外面と取付けケーシング１２′の円錐面１５′との間で係合せず、前記高さ調整組立体は柱体５０に関して昇降可能となる。
【００３０】
前記一対の高さ調整組立体の移動取付け具２１′が制限装置６０Ａによって制限を受けていると、前記一対の高さ調整組立体間の前記横柱体を柱体５０に関して所望位置へ移動することができる。前記横柱体を所望位置に移動したとき、使用者は、先ず前記一対の高さ調整組立体の一方の制限ロッド６１Ａを対応する上部カバー１７′に関して外方に引き、ばね２２′によって移動取付け具２１′が元位置に復帰することを可能にする。上記した制限装置６０Ａが移動取付け具２１′から分離された後、使用者は、片手で前記横柱体を支持し、他方の前記高さ調整組立体の移動取付け具２１′から制限装置６０Ａを分離することができ、その結果、前記他方の高さ調整組立体を対応する柱体５０に係合させることができる。よって、前記横柱体は、柱体５０の前記外面と取付けケーシング１２′の前記円錐面との間で係合する位置決め要素３０′によって、所望位置に保持される。
【００３１】
さらに図１５及び１６を参照するに、制限装置６０Ｂの第２実施例では、使用者は、押し板２７′を押し下げ、また移動取付け具２１′を上部カバー１７′に関して回転する。そのとき、制限装置６０Ｂの制限突起部６２Ｂは、制限溝６１Ｂに沿って動き、制限溝６１Ｂの前記水平部分に移動し、制限溝６１Ｂの前記水平部分で上部カバー１７′に係合し、移動取付け具２１′の前記元位置へ向けての上方への復帰が防止される。次に、前記一対の高さ調整組立体間の前記横柱体を所望の位置に柱体５０に関して移動することができ、前記使用者は、押し板２７′を上部カバー１７′に関して回転させ、その結果、ばね２２′によって制限突起部６２Ｂを元位置に戻すことができ、また柱体５０の前記外面と取付けケーシング１２′の前記円錐面との間で係合する位置決め要素３０′によって前記横柱体を所望位置に保持することができる。
【００３２】
さらに、図１７、１８及び２１（Ａ）ないし２１（Ｄ）を参照するに、使用者は押し板２７′を上部カバー１７′に関して押し下げると、案内凹所６３Ｃは下方に移動し、制限ピン６２Ｃの接続端部６２１Ｃは制限取付け具６１Ｃに関して回転し、また制限ピン６２Ｃの制限端部６２２Ｃは案内凹所６３Ｃに沿って回転し移動し、図１９及び２０に示されているように保持アーム６４Ｃに当接し、これにより移動取付け具２１′が少なくとも１つのばね２２′によって元位置へ向けて上方に戻ることを防止することができる。そして、前記一対の高さ調整組立体間の前記横柱体は、所望位置へ柱体５０に関して移動され、使用者は押し板２７′を押して、図１７、１８、２１（Ｅ）及び２１（Ｆ）に示されているように再び制限ピン６２Ｃの制限端部６２２Ｃを保持アーム６４Ｃから分離し、前記元位置に回転させることができ、柱体５０の前記外面と取付けケーシング１２′の前記円錐面との間で係合する位置決め要素３０′によって前記所望位置に前記横柱体を保持することができる。
【００３３】
本発明の多くの特徴及び利点が、本発明の構成及び作用の詳細と共に、前述の説明に記述されたが、開示は例示に過ぎない。変更は、細部にわたって、特に、付加された特許請求の範囲の用語の広義の一般的な意味によって示された充分な範囲に至る本発明の原理内で、部分の形状、寸法及び配置についてなすことができる。
【符号の説明】
【００３４】
１０、１０′  外方装置
１１、１１′  ベース
１２、１２′  取付けケーシング
１３、１３′  室
１４、１４′  開口部
１５、１５′  円錐面
１６  留め具
１７′  上部カバー
２０、２０′  内方装置
２１、２１′  取付け具
２２、２２′  ばね
２３、２３′  押圧部
２４、２４′  位置決め穴
２５、２５′  取付け室
２６、１１２  保持凹所
２６′  保持リング
２７′  押し板
２８′  制限凹所
３０、３０′  位置決め要素
４０、４０′  張り出し装置
５０、９０  柱体
６０  天井板
６０Ａ、６０Ｂ、６０Ｃ  制限装置
８０  羽目板
１１１  中央穴
１１２′  ねじ溝面
１７１′  取付け凹所
１７２′  取付け溝
【図１】
2011220521.tif 000003
【図２】
2011220521.tif 000004
【図３】
2011220521.tif 000005
【図４】
2011220521.tif 000006
【図５】
2011220521.tif 000007
【図６】
2011220521.tif 000008
【図７】
2011220521.tif 000009
【図８】
2011220521.tif 000010
【図９】
2011220521.tif 000011
【図１０】
2011220521.tif 000012
【図１１】
2011220521.tif 000013
【図１２】
2011220521.tif 000014
【図１３】
2011220521.tif 000015
【図１４】
2011220521.tif 000016
【図１５】
2011220521.tif 000017
【図１６】
2011220521.tif 000018
【図１７】
2011220521.tif 000019
【図１８】
2011220521.tif 000020
【図１９】
2011220521.tif 000021
【図２０】
2011220521.tif 000022
【図２１】
2011220521.tif 000023